(57)【特許請求の範囲】
【請求項１】
回線交換ユーザー端末（ＣＳ  ＵＥ）は増強されたソースモバイル交換センターサーバ（ｅＭＳＣ  Ｓｅｒｖｅｒ）からターゲットモバイル交換センターサーバ（ＭＳＣ  Ｓｅｒｖｅｒ）の制御範囲内に移動し、前記ＣＳ  ＵＥがアタッチされるＭＳＣ  Ｓｅｒｖｅｒを変更する位置取り消し過程において、ソースｅＭＳＣ  Ｓｅｒｖｅｒはホームユーザーサーバ（ＨＳＳ）／ホーム位置レジスタ（ＨＬＲ）が送信した位置の取り消し要求を受信した後、遅延時間を計り始めることと、
遅延時間になったら、前記ソースｅＭＳＣ  Ｓｅｒｖｅｒは前記ＣＳ  ＵＥの代わりにＩＰマルチメディアサブシステム（ＩＭＳ）のログアウトを実行することと
を含み、ＩＭＳのログインおよびＩＭＳのログアウトは、単一のサービスコールセッション制御機能（Ｓ−ＣＳＣＦ）に対して実行される、ＩＰマルチメディアサブシステム集中サービスのログアウト方法。
【請求項２】
ログアウト要請送信タイマを設置するとき、前記遅延時間を計り始めるステップは、ソースｅＭＳＣ  Ｓｅｒｖｅｒが前記ログアウト要請送信タイマを起動することで遅延時間計りを始めることを更に含み、
前記ログアウトは、前記ログアウト要請送信タイマがオーバーフローしたとき、遅延時間になったら、ソースｅＭＳＣ  Ｓｅｒｖｅｒは前記ＣＳ  ＵＥの代わりにＩＭＳのログアウトを実行することを更に含む、請求項１に記載の方法。
【請求項３】
前記遅延時間はソースｅＭＳＣ  Ｓｅｒｖｅｒのローカルで更に配置され、
前記遅延時間は具体的に、正常の情況で、ターゲットｅＭＳＣ  Ｓｅｒｖｅｒのログイン要請が問い合わせコールセッション制御機能（Ｉ−ＣＳＣＦ）を通してサービスコールセッション制御機能（Ｓ−ＣＳＣＦ）に到達するための最大時間よりも長い、請求項１または２に記載の方法。
【請求項４】
前記ＩＭＳのログアウトは具体的に、ソースｅＭＳＣ  ＳｅｒｖｅｒがＣＳ  ＵＥの代わりにＩＭＳにＩＭＳログアウト要請を送信し、ソースｅＭＳＣ  Ｓｅｒｖｅｒがログアウト成功応答またはログアウト失敗応答を受信したとき、ローカルＩＭＳログインデータを削除することを含む、請求項１または２に記載の方法。
【請求項５】
遅延時間になってない場合、Ｓ−ＣＳＣＦからソースｅＭＳＣ  Ｓｅｒｖｅｒにより受け取られたログイン通知メッセージに含まれる、ソースｅＭＳＣ  Ｓｅｒｖｅｒが確立したログイン関係の連絡アドレスがソースｅＭＳＣ  Ｓｅｒｖｅｒ自体の連絡アドレスでないとき、当該方法は更に、ソースｅＭＳＣ  Ｓｅｒｖｅｒが遅延時間計りを停止し、ローカルで保存されたＣＳ  ＵＥのログインデータを削除することを含む、請求項１または２に記載の方法。
【請求項６】
遅延時間になった場合、当該方法は、ソースｅＭＳＣ  ＳｅｒｖｅｒがＩ−ＣＳＣＦを通してＳ−ＣＳＣＦにログアウト要請を送信することを更に含む、請求項１または２に記載の方法。
【請求項７】
ターゲットＭＳＣ  ＳｅｒｖｅｒがｅＭＳＣ  Ｓｅｒｖｅｒである場合、前記ＩＭＳのログアウトは、ターゲットｅＭＳＣ  ＳｅｒｖｅｒがＣＳ  ＵＥの代わりにＩＭＳのログイン過程を実行し、Ｓ−ＣＳＣＦにおいて、元のログインバインディング関係を新しいログインバインディング関係に変え、ＣＳ  ＵＥの代わりにソースｅＭＳＣ  Ｓｅｒｖｅｒが送信したＩＭＳログアウト要請がＳ−ＣＳＣＦに到達した後、Ｓ−ＣＳＣＦは前記ＩＭＳログアウト要請を拒絶することを更に含む、請求項４に記載の方法。
【請求項８】
ターゲットＭＳＣ  Ｓｅｒｖｅｒが普通のＭＳＣ  Ｓｅｒｖｅｒである場合、前記ＩＭＳのログアウトは、ＣＳ  ＵＥの代わりにソースｅＭＳＣ  Ｓｅｒｖｅｒが送信したＩＭＳログアウト要請がＳ−ＣＳＣＦに到達した後、Ｓ−ＣＳＣＦは元ログインバインディング関係をログアウトすることを更に含む、請求項４に記載の方法。
【請求項９】
ＣＳ  ＵＥがソースｅＭＳＣ  ＳｅｒｖｅｒからターゲットＭＳＣ  Ｓｅｒｖｅｒの制御範囲内に移動し、前記ＣＳ  ＵＥがアタッチされるＭＳＣ  Ｓｅｒｖｅｒを変更する位置取り消し過程において、ソースｅＭＳＣ  ＳｅｒｖｅｒはＨＳＳ／ＨＬＲが送信した位置の取り消し要求を受信した後、遅延時間計りを始めることに用いる遅延時間計りユニットと、
遅延時間になったら、前記ソースｅＭＳＣ  Ｓｅｒｖｅｒが前記ＣＳ  ＵＥの代わりにＩＭＳのログアウトを実行することに用いるログアウトユニットと、
を備え、ＩＭＳのログインおよびＩＭＳのログアウトは、単一のサービスコールセッション制御機能（Ｓ−ＣＳＣＦ）に対して実行される、ＩＰマルチメディアサブシステム集中サービスのログアウトシステム。
【請求項１０】
前記遅延時間計りユニットは、更に、ログアウト要請送信タイマを設置するとき、ソースｅＭＳＣ  Ｓｅｒｖｅｒが前記ログアウト要請送信タイマを起動することで遅延時間を計り始めることに用い、
前記ログアウトユニットは、更に、前記ログアウト要請送信タイマがオーバーフローしたとき、遅延時間になったら、ソースｅＭＳＣ  Ｓｅｒｖｅｒが前記ＣＳ  ＵＥの代わりにＩＭＳのログアウトを実行することに用いる、請求項９に記載のシステム。
【請求項１１】
前記ログアウトユニットは、更に、ソースｅＭＳＣ  ＳｅｒｖｅｒがＣＳ  ＵＥの代わりにＩＭＳにＩＭＳログアウト要請を送信し、ソースｅＭＳＣ  Ｓｅｒｖｅｒがログアウト成功応答またはログアウト失敗応答を受信したとき、ローカルＩＭＳログインデータを削除することに用いる、請求項９または１０に記載のシステム。
【請求項１２】
前記ログアウトユニットは、更に、ターゲットＭＳＣ  ＳｅｒｖｅｒがｅＭＳＣ  Ｓｅｒｖｅｒである場合、ターゲットｅＭＳＣ  ＳｅｒｖｅｒがＣＳ  ＵＥの代わりにＩＭＳのログイン過程を実行し、Ｓ−ＣＳＣＦにおいて、元のログインバインディング関係を新しいログインバインディング関係に変え、ＣＳ  ＵＥの代わりにソースｅＭＳＣ  Ｓｅｒｖｅｒが送信したＩＭＳログアウト要請がＳ−ＣＳＣＦに到達した後、Ｓ−ＣＳＣＦは前記ＩＭＳログアウト要請を拒絶することに用いる、請求項１１に記載のシステム。
【請求項１３】
前記ログアウトユニットは、更に、ターゲットＭＳＣ  Ｓｅｒｖｅｒが普通のＭＳＣ
Ｓｅｒｖｅｒである場合、ＣＳ  ＵＥの代わりにソースｅＭＳＣ  Ｓｅｒｖｅｒが送信したＩＭＳログアウト要請がＳ−ＣＳＣＦに到達した後、Ｓ−ＣＳＣＦは元ログインバインディング関係をログアウトすることに用いる、請求項１１に記載のシステム。
【発明の詳細な説明】
【技術分野】
【０００１】
本発明は移動通信領域に関し、特に、位置取り消し過程におけるＩＰマルチメディアサブシステム（ＩＭＳ、ＩＰ  Ｍｕｌｔｉｍｅｄｉａ  Ｓｕｂｓｙｓｔｅｍ）集中サービスのログアウト方法及びシステムに関する。
【背景技術】
【０００２】
現在、グローバルモバイル通信システム（ＧＳＭ、Ｇｌｏｂａｌ  Ｓｙｓｔｅｍ  ｆｏｒ  Ｍｏｂｉｌｅ  ｃｏｍｍｕｎｉｃａｔｉｏｎｓ）、ユニバーサルモバイル通信システム（ＵＭＴＳ、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）などの移動ネットワークが回線交換技術を用い、回線交換（ＣＳ、Ｃｉｒｃｕｉｔ  Ｓｗｉｔｃｈｅｄ）ドメインと称され、ユーザーに基本な音声サービス及び音声サービスに基づく補充サービスを提供することができる。ＣＳドメインがＩＭＳにアクセスしたとき、それは１種のアクセス方式になり、そのサービスがＩＭＳに統一に提供され、この方式はＩＭＳ集中サービスと称される。
【０００３】
図１は従来の技術におけるＩＭＳ集中サービスの応用場面を示す図である。図１に示すように、ＩＰマルチメディアサブシステムユーザー設備（ＩＭＳ  ＵＥ、ＩＭＳ  Ｕｓｅｒ  Ｅｑｕｉｐｍｅｎｔ）１０１は、組み分けドメインアクセスネットワーク１０２を通してＩＭＳ１０５に接続し、ＩＭＳネットワークによりサービスが提供される。ＩＭＳ集中サービス技術を利用して、ＣＳドメインユーザー設備（ＣＳ  ＵＥ、ＣＳ  Ｕｓｅｒ  Ｅｑｕｉｐｍｅｎｔ）１０３は、ＣＳドメインアクセスネットワーク１０４を通してＩＭＳ１０５に接続し、ＩＭＳネットワークによりサービスが提供される。このように、ＩＭＳネットワークは異なるアクセス方式を採用するユーザーにサービスを提供できるようになる。
【０００４】
図２は従来の技術におけるＩＭＳ集中制御サービスの構成図である。図２に示すように、以下のようなネット要素を含む。
【０００５】
ＣＳ  ＵＥ  ２０１は、ＣＳ制御シグナリングを通して強化されたモバイル交換センターサーバー（ｅＭＳＣ  Ｓｅｒｖｅｒ、Ｅｎｈａｎｃｅｄ  Ｍｏｂｉｌｅ  Ｓｗｉｔｃｈ  Ｃｅｎｔｅｒ）に接続する。
【０００６】
ｅＭＳＣ  Ｓｅｒｖｅｒ  ２０２は、強化されたＣＳドメインＭＳＣ  Ｓｅｒｖｅｒであり、ＣＳユーザー設備へのアクセス、移動的な管理、コール制御機能を完成するほかに、通信セッション設定プロトコル（ＳＩＰ、Ｓｅｓｓｉｏｎ  Ｉｎｉｔｉａｔｉｏｎ  Ｐｒｏｔｏｃｏｌ）ユーザー代理として、ＣＳシグナリングとＳＩＰメッセージの間の転換を実現し、ユーザーの代わりにＩＭＳにアクセスすることもできる。
【０００７】
メディアゲートウェイ（ＭＧＷ、Ｍｅｄｉａ  Ｇａｔｅｗａｙ）２０３は、  ＣＳベアリング上のメディアストリームとＩＰベアリング上のメディアストリームの間の転換に用い、ＣＳ  ＵＥ  ２０１とリモートユーザーの間のメディア接続を確立する。
【０００８】
コールセッション制御機能（ＣＳＣＦ、Ｃａｌｌ  Ｓｅｓｓｉｏｎ  Ｃｏｎｔｒｏｌ  Ｆｕｎｃｔｉｏｎ）２０４は、問い合わせＣＳＣＦ（Ｉ−ＣＳＣＦ、Ｉｎｔｅｒｒｏｇａｔｉｎｇ  ＣＳＣＦ）とサービングＣＳＣＦ（Ｓ−ＣＳＣＦ、Ｓｅｒｖｉｎｇ  ＣＳＣＦ）に分けることができる。その中、Ｉ−ＣＳＣＦとホームユーザーサーバ（ＨＳＳ、Ｈｏｍｅ  Ｓｕｂｓｃｒｉｂｅｒ  Ｓｅｒｖｅｒ）がインタラクティブし、ＨＳＳに対してユーザーにＳ−ＣＳＣＦを配布することを要求し、またはユーザーが属するＳ−ＣＳＣＦを問い合わせする。その中、Ｓ−ＣＳＣＦはユーザーにログイン、コール制御などの機能を提供する。
【０００９】
アプリケーションサーバ（ＡＳ、Ａｐｐｌｉｃａｔｉｏｎ  Ｓｅｒｖｅｒ）２０５は、サービス連続性サーバ、電話サービスサーバなどを含み、ユーザーにサービス連続性、電話サービスなどのサービスを提供することができる。
【００１０】
ＨＳＳ／ホーム位置レジスタ（ＨＬＲ、Ｈｏｍｅ  Ｌｏｃａｔｉｏｎ  Ｒｅｇｉｓｔｅｒ）２０６は、ユーザーの契約データを保存し、コールまたはセッションにサポートする。その中、ＨＬＲは、ＨＳＳのサブセットであって、従来のＣＳドメインと組み分けドメインにサービスすることを考えられる。実際応用において、ＨＬＲは、ＨＳＳと一体して同じ物理実体に位置してもよく、異なる実体に位置してもよい。ＨＳＳとＨＬＲが異なる実体に位置するとき、互いに情報のインタラクティブを実現するためのインタフェースが存在する。
【００１１】
ＣＳ  ＵＥ  ２０１がＣＳ制御シグナリングを通してｅＭＳＣ  Ｓｅｒｖｅｒ  ２０２に接続し、ｅＭＳＣ  Ｓｅｒｖｅｒ  ２０２はユーザー代行になってＣＳ  ＵＥ  ２０１の代わりにＩＭＳネットワークのＣＳＣＦ  ２０４に接続し、そして、リモートユーザーとセッション接続を確立する同時に、ＭＧＷ  ２０３がＣＳベアリングのメディアストリームとＩＰベアリングのメディアストリームの間の転換を完成して、ＣＳ  ＵＥ  ２０１とリモートユーザーの間のメディア接続を確立することを制御する。
【００１２】
ＣＳ  ＵＥがｅＭＳＣ  Ｓｅｒｖｅｒにアタッチすることを成功し、当該ｅＭＳＣ  Ｓｅｒｖｅｒ即ちソースＭＳＣ  Ｓｅｒｖｅｒを通してＩＭＳでログインすることを成功した後、当該ＣＳ  ＵＥが移動するとき、当該ＣＳ  ＵＥは新しいＭＳＣ  Ｓｅｒｖｅｒ即ちターゲットＭＳＣ  Ｓｅｒｖｅｒの制御範囲内に移動する可能性がある。その中、ターゲットＭＳＣ  Ｓｅｒｖｅｒは普通のＭＳＣ  Ｓｅｒｖｅｒ、即ち、ＩＭＳ集中サービスを増加する能力がないＭＳＣ  Ｓｅｒｖｅｒでもあるかもしれなく、ｅＭＳＣ  Ｓｅｒｖｅｒでもあるかもしれない。
【００１３】
ターゲットＭＳＣ  ＳｅｒｖｅｒがｅＭＳＣ  Ｓｅｒｖｅｒであるとき、現在のログイン過程は図３に示すようなものである。説明の便利上、図におけるプロセスは重点的に、ＣＳドメインの位置更新過程とＩＭＳログイン過程を説明し、他の過程、例えば、安全認証過程、ＣＳユーザーデータのインサート過程がここで省略する。図３に示すように、主に以下のようなステップを含む。
【００１４】
ステップ３０１において、ＵＥが  ＣＳアタッチ過程を発起し、ターゲットｅＭＳＣ  Ｓｅｒｖｅｒにアタッチ要求を送信する。
【００１５】
ステップ３０２において、ターゲットｅＭＳＣ  ＳｅｒｖｅｒがＨＳＳ／ＨＬＲに位置更新要求を送信する。
【００１６】
ステップ３０３において、ＨＳＳ／ＨＬＲが位置更新を受け取り、ターゲットｅＭＳＣ  Ｓｅｒｖｅｒに位置更新の受け取り応答を返す。
【００１７】
具体的な操作過程において、ステップ３０２〜３０３過程に、標準のＣＳアクセス認証、ユーザーデータのインサート過程を実行することもある。ＨＳＳ／ＨＬＲがユーザーデータまたは位置更新の受け取り応答にＩＭＳ集中サービス指示をインサートでき、当該ユーザーがＩＭＳ集中サービスを契約したことを意味する。
【００１８】
ステップ３０４において、ターゲットｅＭＳＣ  ＳｅｒｖｅｒがＵＥにＣＳアタッチの受け取り応答を返す。
【００１９】
このときのターゲットＭＳＣ  Ｓｅｒｖｅｒが具体的にターゲットｅＭＳＣ  Ｓｅｒｖｅｒであるので、ターゲットｅＭＳＣ  Ｓｅｒｖｅｒはユーザーデータまたは位置更新の受け取り応答におけるＩＭＳ集中サービス指示をチェックし、またはローカルで配置する濾過基準により、ユーザーがＩＭＳ集中サービスユーザーであるかを判断し、ＩＭＳ集中サービスユーザーであると判断すれば、ステップ３０８を実行して、ＵＥの代わりにＩＭＳログイン過程を実行する。
【００２０】
ステップ３０５において、ＨＳＳ／ＨＬＲがソースｅＭＳＣ  Ｓｅｒｖｅｒに位置の取り消し要求を送信する。
【００２１】
ステップ３０６において、ソースｅＭＳＣ  ＳｅｒｖｅｒがＨＳＳ／ＨＬＲに位置取り消し応答に返し、ローカルで保存したＣＳユーザー記録を削除する。
【００２２】
ステップ３０７において、ソースｅＭＳＣ  ＳｅｒｖｅｒがＣＳ  ＵＥの代わりにＩＭＳログアウト過程を実行する。
【００２３】
ＣＳ  ＵＥが既にソースｅＭＳＣ  Ｓｅｒｖｅｒでアクティブ状態でないから、ソースｅＭＳＣ  ＳｅｒｖｅｒはＣＳ  ＵＥの代わりにＩＭＳログアウト過程を実行し、Ｓ−ＣＳＣＦにログアウト要請を送信し、Ｓ−ＣＳＣＦは元のログインバインディング関係を削除し、即ち、個人ユーザー識別子、共通ユーザー識別子、ソースｅＭＳＣ  Ｓｅｒｖｅｒ連絡アドレスとの関係を削除する。
【００２４】
ステップ３０８において、ターゲットｅＭＳＣ  ＳｅｒｖｅｒはＵＥの代わりにＩＭＳ集中サービスのログイン過程を始める。ユーザーがターゲットｅＭＳＣ  Ｓｅｒｖｅｒに位置更新を成功した後、ターゲットｅＭＳＣ  ＳｅｒｖｅｒはＵＥの代わりにＩＭＳログイン過程を実行し、ＩＭＳシステムにおけるＳ−ＣＳＣＦにログイン要請を送信し、Ｓ−ＣＳＣＦは新しいログインバインディング関係を確立し、即ち、個人ユーザー識別子、共通ユーザー識別子とターゲットｅＭＳＣ  Ｓｅｒｖｅｒ連絡アドレスの関係を確立する。このように、ＩＭＳはログインバインディング関係を更新する。
【００２５】
前記のプロセスにより分かるように、ターゲットｅＭＳＣ  Ｓｅｒｖｅｒが始めるログイン過程とソースｅＭＳＣ  Ｓｅｒｖｅｒが始めるログアウトは独立に行うから、ターゲットｅＭＳＣ  Ｓｅｒｖｅｒが送信するログイン要請とソースｅＭＳＣ  Ｓｅｒｖｅｒが送信するログアウト要請がＳ−ＣＳＣＦに到達する順番を確定できない。実際に、ターゲットｅＭＳＣ  Ｓｅｒｖｅｒが送信するログイン要請とソースｅＭＳＣ  Ｓｅｒｖｅｒが送信するログアウト要請がＳ−ＣＳＣＦに到達する順番は以下のような二つの場合が含む。
【００２６】
（一）ログアウト要請はログイン要請より先にＳ−ＣＳＣＦに到達し、Ｓ−ＣＳＣＦは先にログアウト過程を実行して、元のログイン情報を削除する。ログイン要請が到達するとき、新しいログイン関係を再び確立する。サービスロジックには問題がないが、その中のログアウト過程は必要なものではないので、システムの効率を影響するのが明らかに分かる。それに、ログアウト過程の後、Ｓ−ＣＳＣＦは全てのユーザーデータを解放するかもしれないから、新しいログイン過程にＳ−ＣＳＣＦが再びユーザーデータをダウンロードして、冗長シグナリングが存在して、Ｓ−ＣＳＣＦとＨＳＳの効率を影響する。また、ログアウトした後、再びログインするとき、ＨＳＳは新しいＳ−ＣＳＣＦを配布し、またはＩ−ＣＳＣＦが新しいＳ−ＣＳＣＦを再び選択する可能性があるので、Ｓ−ＣＳＣＦが変わることを致す。他に、Ｓ−ＣＳＣＦはサードパーティのログイン／ログアウト過程を実行し、ＡＳユーザーのログイン情報を通知する可能性があるので、ＡＳの処理効率を影響し、さらに異常を引き起こすかもしれない。
【００２７】
（二）ログイン要請はログアウト要請より先にＳ−ＣＳＣＦに到達し、Ｓ−ＣＳＣＦはログイン過程を実行し、新しいログイン関係は元のログイン関係をカバーしたのち、ログアウト要請がＳ−ＣＳＣＦに到達し、Ｓ−ＣＳＣＦはログアウト要請におけるユーザー情報によって既に存在するログイン関係をマッチングし、新しいログイン関係を見つけて、更にｅＭＳＣ  Ｓｅｒｖｅｒの連絡アドレスを比べて、連絡アドレスが異なっていると見つけたら、異常処理プロセスとして、ソースｅＭＳＣ  Ｓｅｒｖｅｒのログアウト要請を拒絶する。ソースｅＭＳＣ  Ｓｅｒｖｅｒは拒絶要求を受信した後、ローカルのＩＭＳログインデータを削除する。よって、この場合、サービスロジックエラーを引き起こすことがない。その中、前記ログアウト要請におけるユーザー情報にはユーザー個人識別子とユーザー共通識別子が含まれる。
【００２８】
前記の分析により分かるように、ソースｅＭＳＣ  Ｓｅｒｖｅｒが送信するログアウト要請はターゲットｅＭＳＣ  Ｓｅｒｖｅｒが送信するログイン要請より先にＳ−ＣＳＣＦに到達するとき、冗長シグナリングが存在する可能性があり、従って、システム処理効率に影響する。
【発明の概要】
【発明が解決しようとする課題】
【００２９】
本発明が解決する技術課題は、従来技術においてＣＳ  ＵＥがソースｅＭＳＣ  ＳｅｒｖｅｒからターゲットＭＳＣ  Ｓｅｒｖｅｒ制御範囲内に移動したとき、ログアウト過程に冗長シグナリングが存在する可能性があって、処理効率が低くなる問題を解決するために、ＩＭＳ集中サービスのログアウト方法及びシステムを提供すること。
【課題を解決するための手段】
【００３０】
前記技術課題を解決するために、本発明の第１側面に係るＩＭＳ集中サービスのログアウト方法は、
回線交換ユーザー端末（ＣＳ  ＵＥ）はソース強化されたモバイル交換センターサーバー（ｅＭＳＣ  Ｓｅｒｖｅｒ）からターゲットモバイル交換センターサーバ（ターゲットＭＳＣ  Ｓｅｒｖｅｒ）の制御範囲内に移動し、前記ＣＳ  ＵＥがアタッチするＭＳＣ  Ｓｅｒｖｅｒの位置取り消しを変更する過程において、ソースｅＭＳＣ  Ｓｅｒｖｅｒはホームユーザーサーバ（ＨＳＳ）／ホーム位置レジスタ（ＨＬＲ）が送信した位置の取り消し要求を受信した後、遅延計時が始まり、
遅延時間になったら、前記ソースｅＭＳＣ  Ｓｅｒｖｅｒは前記ＣＳ  ＵＥの代わりにＩＰマルチメディアサブシステム（ＩＭＳ）のログアウトを実行する。
【００３１】
更に、ログアウト要請送信タイマを設置するとき、前記遅延時間を計り始めるのは、ソースｅＭＳＣ  Ｓｅｒｖｅｒが前記ログアウト要請送信タイマを起動することで遅延時間を計り始めることを更に含み、
前記ログアウトは、前記ログアウト請求送信タイマがオーバーフローになるとき、遅延時間になったら、ソースｅＭＳＣ  Ｓｅｒｖｅｒは前記ＣＳ  ＵＥの代わりにＩＭＳのログアウトを実行することを特徴する。
【００３２】
更に、前記遅延時間はソースｅＭＳＣ  Ｓｅｒｖｅｒのローカルで更に配置され、
前記遅延時間は具体的に、時間長が正常の場合より長い時、ターゲットｅＭＳＣ  Ｓｅｒｖｅｒのログイン要請が問い合わせコールセッション制御機能実体（Ｉ−ＣＳＣＦ）を通してサービスコールセッション制御機能（Ｓ−ＣＳＣＦ）に到達する必要の最大時間であることを特徴する。
【００３３】
更に、前記ＩＭＳのログアウトは具体的に、ソースｅＭＳＣ  ＳｅｒｖｅｒがＣＳ  ＵＥの代わりにＩＭＳにＩＭＳログアウト要請を送信し、ソースｅＭＳＣ  Ｓｅｒｖｅｒがログアウト成功応答またはログアウト失敗応答を受信したとき、ローカルＩＭＳログインデータを削除することを含む。
【００３４】
更に、遅延時間になってない場合、ソースｅＭＳＣ  Ｓｅｒｖｅｒが受け取ったＳ−ＣＳＣＦが送信したログイン通知メッセージにおいて、ソースｅＭＳＣ  Ｓｅｒｖｅｒが確立したログイン関係の連絡アドレスは自身の連絡アドレスでないとき、当該方法は、ソースｅＭＳＣ  Ｓｅｒｖｅｒが遅延時間を計ることを停止し、ローカルで保存したＣＳ  ＵＥのログインデータを削除することを更に含むことを特徴する。
【００３５】
更に、遅延時間になった場合、当該方法は、ソースｅＭＳＣ  ＳｅｒｖｅｒがＩ−ＣＳＣＦを通してＳ−ＣＳＣＦにログアウト要請を送信することを更に含むことを特徴する。
【００３６】
更に、ターゲットＭＳＣ  ＳｅｒｖｅｒがｅＭＳＣ  Ｓｅｒｖｅｒである場合、前記ＩＭＳのログアウトは、ターゲットｅＭＳＣ  ＳｅｒｖｅｒがＣＳ  ＵＥの代わりにＩＭＳのログイン過程を実行し、Ｓ−ＣＳＣＦにおいて、新しいログインバインディング関係を持って元のログインバインディング関係が代え、ＣＳ  ＵＥの代わりにソースｅＭＳＣ  Ｓｅｒｖｅｒが送信したＩＭＳログアウト要請がＳ−ＣＳＣＦに到達した後、Ｓ−ＣＳＣＦは前記ＩＭＳログアウト要請を拒絶することを特徴する。
【００３７】
更に、ターゲットＭＳＣ  ＳｅｒｖｅｒがｅＭＳＣ  Ｓｅｒｖｅｒである場合、前記ＩＭＳのログアウトは、ＣＳ  ＵＥの代わりにソースｅＭＳＣ  Ｓｅｒｖｅｒが送信したＩＭＳログアウト要請がＳ−ＣＳＣＦに到達した後、Ｓ−ＣＳＣＦは元ログインバインディング関係をログアウトする。
【００３８】
前記技術課題を解決するために、本発明の第２側面に係るＩＭＳ集中サービスのログアウトシステムは、
ＣＳ  ＵＥがソースｅＭＳＣ  ＳｅｒｖｅｒからターゲットＭＳＣ  Ｓｅｒｖｅｒの制御範囲内に移動し、前記ＣＳ  ＵＥがアタッチされたＭＳＣ  Ｓｅｒｖｅｒの位置取り消しを変更する過程において、ソースｅＭＳＣ  ＳｅｒｖｅｒがＨＳＳ／  ＨＬＲが送信した位置の取り消し要求を受信した後、遅延時間を始める遅延時間計りユニットと、
遅延時間になったら、前記ソースｅＭＳＣ  Ｓｅｒｖｅｒが前記ＣＳ  ＵＥの代わりにＩＭＳのログアウトを実行するログアウトユニットと、
を備える。
【００３９】
更に、前記遅延時間計りユニットは、さらにログアウト要請送信タイマを設置するとき、ソースｅＭＳＣ  Ｓｅｒｖｅｒが前記ログアウト要請送信タイマを起動することで遅延時間を計り始めることに用いる。
【００４０】
前記ログアウトユニットは、さらに前記ログアウト要請送信タイマがオーバーフローになったとき、遅延時間になったら、ソースｅＭＳＣ  Ｓｅｒｖｅｒが前記ＣＳ  ＵＥの代わりにＩＭＳのログアウトを実行することに用いる。
【００４１】
更に、前記ログアウトユニットは、さらにソースｅＭＳＣ  ＳｅｒｖｅｒがＣＳ  ＵＥの代わりにＩＭＳにＩＭＳログアウト要請を送信し、ソースｅＭＳＣ  Ｓｅｒｖｅｒがログアウト成功応答または失敗応答を受信したとき、ローカルＩＭＳログインデータを削除することに用いる。
【００４２】
更に、前記ログアウトユニットは、ターゲットＭＳＣ  ＳｅｒｖｅｒがｅＭＳＣ  Ｓｅｒｖｅｒである場合、ターゲットｅＭＳＣ  ＳｅｒｖｅｒがＣＳ  ＵＥの代わりにＩＭＳのログイン過程を実行し、Ｓ−ＣＳＣＦにおいて、新しいログインバインディング関係を持って前のログインバインディング関係が代え、ＣＳ  ＵＥの代わりにソースｅＭＳＣ  Ｓｅｒｖｅｒが送信したＩＭＳログアウト要請がＳ−ＣＳＣＦに到達した後、Ｓ−ＣＳＣＦは前記ＩＭＳログアウト要請を拒絶することに用いる。
【００４３】
更に、前記ログアウトユニットは、さらにターゲットＭＳＣ  Ｓｅｒｖｅｒが普通のＭＳＣ  Ｓｅｒｖｅｒである場合、ＣＳ  ＵＥの代わりにソースｅＭＳＣ  Ｓｅｒｖｅｒが送信したＩＭＳログアウト要請がＳ−ＣＳＣＦに到達した後、Ｓ−ＣＳＣＦは元ログインバインディング関係をログアウトすることに用いる。
例えば、本発明は以下の項目を提供する。
（項目１）
回線交換ユーザー端末（ＣＳ  ＵＥ）は増強されたソースモバイル交換センターサーバー（ｅＭＳＣ  Ｓｅｒｖｅｒ）からターゲットモバイル交換センターサーバ（ＭＳＣ  Ｓｅｒｖｅｒ）の制御範囲内に移動し、上記ＣＳ  ＵＥがアタッチされるＭＳＣ  Ｓｅｒｖｅｒの位置取り消しを変更する過程において、ソースｅＭＳＣ  Ｓｅｒｖｅｒはホームユーザーサーバ（ＨＳＳ）／ホーム位置レジスタ（ＨＬＲ）が送信した位置の取り消し要求を受信した後、遅延時間を計り始め、
遅延時間になったら、上記ソースｅＭＳＣ  Ｓｅｒｖｅｒは上記ＣＳ  ＵＥの代わりにＩＰマルチメディアサブシステム（ＩＭＳ）のログアウトを実行する
ことを含むことを特徴とするＩＰマルチメディアサブシステム集中サービスのログアウト方法。
（項目２）
ログアウト要請送信タイマを設置するとき、上記遅延時間計りを始めるのは、ソースｅＭＳＣ  Ｓｅｒｖｅｒが上記ログアウト要請送信タイマを起動することで遅延時間計りを始めることを更に含み、
上記ログアウトは、上記ログアウト要請送信タイマがオーバーフローしたとき、遅延時間になったら、ソースｅＭＳＣ  Ｓｅｒｖｅｒは上記ＣＳ  ＵＥの代わりにＩＭＳのログアウトを実行することを更に含む
ことを特徴とする項目１に記載の方法。
（項目３）
上記遅延時間はソースｅＭＳＣ  Ｓｅｒｖｅｒのローカルで更に配置され、
上記遅延時間は具体的に、時間長が正常の情況で、ターゲットｅＭＳＣ  Ｓｅｒｖｅｒのログイン要請が問い合わせコールセッション制御機能実体（Ｉ−ＣＳＣＦ）を通してサービスコールセッション制御機能（Ｓ−ＣＳＣＦ）に到達する必要の最大時間である
ことを特徴とする項目１または２に記載の方法。
（項目４）
上記ＩＭＳのログアウトは具体的に、ソースｅＭＳＣ  ＳｅｒｖｅｒがＣＳ  ＵＥの代わりにＩＭＳにＩＭＳログアウト要請を送信し、ソースｅＭＳＣ  Ｓｅｒｖｅｒがログアウト成功応答またはログアウト失敗応答を受信したとき、ローカルＩＭＳログインデータを削除することを含む
ことを特徴とする項目１または２に記載の方法。
（項目５）
遅延時間になってない場合、ソースｅＭＳＣ  Ｓｅｒｖｅｒは受け取ったＳ−ＣＳＣＦが送信したログイン通知メッセージにおいて、ソースｅＭＳＣ  Ｓｅｒｖｅｒが確立したログイン関係の連絡アドレスは自体の連絡アドレスでないとき、当該方法はさらにソースｅＭＳＣ  Ｓｅｒｖｅｒが遅延時間計りを停止し、ローカルで保存されたＣＳ  ＵＥのログインデータを削除することを含む
ことを特徴とする項目１または２に記載の方法。
（項目６）
遅延時間になった場合、当該方法は、ソースｅＭＳＣ  ＳｅｒｖｅｒがＩ−ＣＳＣＦを通してＳ−ＣＳＣＦにログアウト要請を送信することを更に含む
ことを特徴とする項目１または２に記載の方法。
（項目７）
ターゲットＭＳＣ  ＳｅｒｖｅｒがｅＭＳＣ  Ｓｅｒｖｅｒである場合、上記ＩＭＳのログアウトは、ターゲットｅＭＳＣ  ＳｅｒｖｅｒがＣＳ  ＵＥの代わりにＩＭＳのログイン過程を実行し、Ｓ−ＣＳＣＦにおいて、元のログインバインディング関係を新しいログインバインディング関係に変え、ＣＳ  ＵＥの代わりにソースｅＭＳＣ  Ｓｅｒｖｅｒが送信したＩＭＳログアウト要請がＳ−ＣＳＣＦに到達した後、Ｓ−ＣＳＣＦは上記ＩＭＳログアウト要請を拒絶することを更に含む
ことを特徴とする項目４に記載の方法。
（項目８）
ターゲットＭＳＣ  Ｓｅｒｖｅｒが普通のＭＳＣ  Ｓｅｒｖｅｒである場合、上記ＩＭＳのログアウトは、ＣＳ  ＵＥの代わりにソースｅＭＳＣ  Ｓｅｒｖｅｒが送信したＩＭＳログアウト要請がＳ−ＣＳＣＦに到達した後、Ｓ−ＣＳＣＦは元ログインバインディング関係をログアウトすることを更に含む
ことを特徴とする項目４に記載の方法。
（項目９）
ＣＳ  ＵＥがソースｅＭＳＣ  ＳｅｒｖｅｒからターゲットＭＳＣ  Ｓｅｒｖｅｒの制御範囲内に移動し、上記ＣＳ  ＵＥがアタッチされるＭＳＣ  Ｓｅｒｖｅｒの位置取り消しを変更する過程において、ソースｅＭＳＣ  ＳｅｒｖｅｒはＨＳＳ／  ＨＬＲが送信した位置の取り消し要求を受信した後、遅延時間計りを始めることに用いる遅延時間計りユニットと、
遅延時間になったら、上記ソースｅＭＳＣ  Ｓｅｒｖｅｒが上記ＣＳ  ＵＥの代わりにＩＭＳのログアウトを実行することに用いるログアウトユニットと、
を備えることを特徴とするＩＰマルチメディアサブシステム集中サービスのログアウトシステム。
（項目１０）
上記遅延時間計りユニットは、さらに、ログアウト要請送信タイマを設置するとき、ソースｅＭＳＣ  Ｓｅｒｖｅｒが上記ログアウト要請送信タイマを起動することで遅延時間を計り始めることに用いる。
上記ログアウトユニットは、さらに、上記ログアウト要請送信タイマがオーバーフローしたとき、遅延時間になったら、ソースｅＭＳＣ  Ｓｅｒｖｅｒが上記ＣＳ  ＵＥの代わりにＩＭＳのログアウトを実行することに用いる。
ことを特徴とする項目９に記載のシステム。
（項目１１）
上記ログアウトユニットは、さらに、ソースｅＭＳＣ  ＳｅｒｖｅｒがＣＳ  ＵＥの代わりにＩＭＳにＩＭＳログアウト要請を送信し、ソースｅＭＳＣ  Ｓｅｒｖｅｒがログアウト成功応答またはログアウト失敗応答を受信したとき、ローカルＩＭＳログインデータを削除することに用いる
ことを特徴とする項目９または１０に記載のシステム。
（項目１２）
上記ログアウトユニットは、さらに、ターゲットＭＳＣ  ＳｅｒｖｅｒがｅＭＳＣ  Ｓｅｒｖｅｒである場合、ターゲットｅＭＳＣ  ＳｅｒｖｅｒがＣＳ  ＵＥの代わりにＩＭＳのログイン過程を実行し、Ｓ−ＣＳＣＦにおいて、元のログインバインディング関係を新しいログインバインディング関係に変え、ＣＳ  ＵＥの代わりにソースｅＭＳＣ  Ｓｅｒｖｅｒが送信したＩＭＳログアウト要請がＳ−ＣＳＣＦに到達した後、Ｓ−ＣＳＣＦは上記ＩＭＳログアウト要請を拒絶することに用いる
ことを特徴とする項目１１に記載のシステム。
（項目１３）
上記ログアウトユニットは、さらに、ターゲットＭＳＣ  Ｓｅｒｖｅｒが普通のＭＳＣ  Ｓｅｒｖｅｒである場合、ＣＳ  ＵＥの代わりにソースｅＭＳＣ  Ｓｅｒｖｅｒが送信したＩＭＳログアウト要請がＳ−ＣＳＣＦに到達した後、Ｓ−ＣＳＣＦは元ログインバインディング関係をログアウトすることに用いる
ことを特徴とする項目１１に記載のシステム。
【発明の効果】
【００４４】
本発明の方法及びシステムを採用して、ＣＳ  ＵＥがＭＳＣ  Ｓｅｒｖｅｒの間に移動するとき、ソースｅＭＳＣ  Ｓｅｒｖｅｒはログアウト要請送信を遅延させる方式を採用して、ソースｅＭＳＣ  Ｓｅｒｖｅｒのログアウト要請がターゲットＭＳＣ  Ｓｅｒｖｅｒのログイン要請よりＳ−ＣＳＣＦに遅く到達することを保証する。従って、必要ない冗長シグナリングを避けて、システム処理効率を向上させる。
【図面の簡単な説明】
【００４５】
【図１】従来技術におけるＩＭＳ集中サービスの応用場面を示す図である。
【図２】従来技術におけるＩＭＳ集中制御サービスの構成図である。
【図３】従来技術におけるＵＥがｅＭＳＣ  Ｓｅｒｖｅｒの間に移動するとき、ＩＭＳ集中サービスのログインフローチャートである。
【図４】従来技術におけるＩＭＳ集中サービスのログインフローチャートである。
【図５】従来技術におけるＩＭＳ集中サービスのログアウトフローチャートである。
【図６】本発明における実施例１の実施フローチャートである。
【図７】本発明における実施例２の実施フローチャートである。
【図８】本発明における実施例３の実施フローチャートである。
【発明を実施するための形態】
【００４６】
前記したとおり、ＩＭＳシステムにおいて、ＣＳ  ＵＥがソースｅＭＳＣ  Ｓｅｒｖｅｒにアタッチを成功し、かつソースＭＳＣ  Ｓｅｒｖｅｒを通してＩＭＳでログインを成功した後、当該ＣＳ  ＵＥが新しいＭＳＣ  Ｓｅｒｖｅｒ、即ちターゲットＭＳＣ  Ｓｅｒｖｅｒに移動したとき、このターゲットＭＳＣ  ＳｅｒｖｅｒがｅＭＳＣ  Ｓｅｒｖｅｒであると、ターゲットＭＳＣ  ＳｅｒｖｅｒがＳ−ＣＳＣＦにログイン要請を送信することとソースｅＭＳＣ  ＳｅｒｖｅｒがＳ−ＣＳＣＦにログアウト要請を送信することは独立に行うから、ログアウト要請がログイン要請より先にＳ−ＣＳＣＦに到達するとき、冗長シグナリングと処理効率が低い問題が生じる。しかも、ログイン要請がログアウト要請より先にＳ−ＣＳＣＦに到達するとき、問題は存在しない。ログイン要請がログアウト要請より先にＳ−ＣＳＣＦに到達することを保証できると、前記問題を解決することができる。
【００４７】
本発明において、ＣＳ  ＵＥはソースｅＭＳＣ  ＳｅｒｖｅｒからターゲットＭＳＣ  Ｓｅｒｖｅｒ制御範囲内に移動し、ＵＥがアタッチされたＭＳＣ  Ｓｅｒｖｅｒの位置取り消しを変更する過程において、ソースｅＭＳＣ  ＳｅｒｖｅｒはＨＳＳ／ＨＬＲが送信した位置の取り消し要求を受信した後、遅延時間計りを始める、遅延時間になったら、前記ＵＥの代わりにＩＭＳログアウト過程を実行する。このように、ログイン要請がログアウト要請より先にＳ−ＣＳＣＦに到達することを保証するために、ソースｅＭＳＣ  ＳｅｒｖｅｒはＨＳＳ／ＨＬＲが送信した位置の取り消し要求を受信した後、しばらく遅延してログアウト要請を送信する。
【００４８】
本発明における実施例において、ソースｅＭＳＣ  Ｓｅｒｖｅｒで一つのログアウト要請送信タイマを設けて、ログアウト要請送信タイマを起動することで、遅延時間計りを始める。前記ログアウト要請送信タイマがオーバーフローになるとき、遅延時間になったら、ソースｅＭＳＣ  Ｓｅｒｖｅｒは前記ＵＥの代わりにＩＭＳログアウト過程を実行する。
【００４９】
前記遅延時間は前記ソースｅＭＳＣ  Ｓｅｒｖｅｒのローカルで配置され、十分な時間長を持って、時間長は正常の場合ターゲットｅＭＳＣ  Ｓｅｒｖｅｒのログイン要請がＳ−ＣＳＣＦに到達する必要な最大時間より長い。その中、前記遅延時間とは、ログアウト要請送信タイマのオーバーフロー値である。
【００５０】
前記したＩＭＳログアウト過程とは、前記ソースｅＭＳＣ  Ｓｅｒｖｅｒが前記ＵＥの代わりにＩＭＳにＩＭＳログアウト要請を送信する。前記ソースｅＭＳＣ  Ｓｅｒｖｅｒがログアウト成功応答またはログアウト失敗応答を受信したとき、ローカルＩＭＳログインデータを削除する。
【００５１】
ターゲットＭＳＣ  ＳｅｒｖｅｒがｅＭＳＣ  Ｓｅｒｖｅｒであると、前記ＵＥの代わりにＩＭＳログイン過程を実行する。このとき、Ｓ−ＣＳＣＦにおいて、新しいログインバインディング関係で元のログインバインディング関係を代える。ＵＥの代わりにソースＭＳＣ  Ｓｅｒｖｅｒが送信したログアウト要請がＳ−ＣＳＣＦに到達した後、元のログインバインディング関係が存在しないので、Ｓ−ＣＳＣＦは当該ログアウト要請を拒絶する。
【００５２】
ターゲットＭＳＣ  Ｓｅｒｖｅｒは普通のＭＳＣ  Ｓｅｒｖｅｒであると、ＵＥの代わりにＩＭＳログインを実行しない。ユーザーの代わりにソースＭＳＣ  Ｓｅｒｖｅｒが送信したログアウト要請がＳ−ＣＳＣＦに到達した後、Ｓ−ＣＳＣＦは元ログインバインディング関係をログアウトする。
【００５３】
最適化として、遅延時間になってない時、即ち、タイマがオーバーフローしない時、ソースＭＳＣ  ＳｅｒｖｅｒはＳ−ＣＳＣＦが送信したログイン通知メッセージを受信して、前記ログイン通知メッセージにおけるソースＭＳＣ  Ｓｅｒｖｅｒが確立したログイン関係の連絡アドレスが自体の連絡アドレスではないとチェックしたと、遅延時間計りを停止し、ローカルで保存されたログインデータを削除する。
【００５４】
以下添付図面を参照しながら本発明の好適な実施の形態について詳細に説明し、なお、ここで記載する好適な実施の形態は単に本発明を説明と解釈する用だけであり、本発明を限定されるものではない。
【００５５】
理解の便利上、本発明における実施例の具体的な実施方式を説明する前に、先にＩＭＳ集中サービスのログインプロセスと位置取り消し過程によるＩＭＳ集中サービスログアウトプロセスに対して簡単に説明する。
【００５６】
図４は従来技術ＩＭＳ集中サービスのログインフローチャートである。図４に示すように、ｅＭＳＣ  ＳｅｒｖｅｒがＣＳ  ＵＥの代わりにＩＭＳに集中サービスのログインを始める過程は以下のようなステップを含む。
【００５７】
ステップ４０１において、ＵＥがＣＳアタッチ過程を始め、ＭＳＣ  Ｓｅｒｖｅｒにアタッチ要求を送信する。
【００５８】
ステップ４０２において、ＭＳＣ  ＳｅｒｖｅｒがＨＳＳ／ＨＬＲに位置更新要求を送信する。
【００５９】
ステップ４０３において、ＨＳＳ／ＨＬＲが位置更新を受け取り、ＭＳＣ  Ｓｅｒｖｅｒに位置更新の受け取り応答を返す。
【００６０】
具体的な実施過程において、ステップ４０２〜４０３過程において、ＣＳアクセス認証、ユーザーデータインサートなどの過程を実行する。それに、ＨＳＳ／ＨＬＲがユーザーデータまたは位置更新の受け取り応答にＩＭＳ集中サービス指示をインサートすることができ、当該ＩＭＳ集中サービス指示は当該ユーザーがＩＭＳ集中サービスサービスを契約したことを意味する。
【００６１】
ステップ４０４において、ＭＳＣ  ＳｅｒｖｅｒがＵＥにアタッチの受け取り応答を返す。
【００６２】
ステップ４０５において、ＵＥはＭＳＣ  Ｓｅｒｖｅｒがアタッチを成功した後、ＭＳＣ  ＳｅｒｖｅｒがＩＭＳログイン决策を実行し、ユーザーデータまたは位置更新応答にＩＭＳ集中サービス指示が含まれると見つけたら、またはローカルで配置された濾過基準に基づいて、ユーザーがＩＭＳ集中サービスユーザーであると判断したら、ユーザーの代わりにＩＭＳログインを始めると決定する。
【００６３】
ステップ４０６において、ＭＳＣ  Ｓｅｒｖｅｒユーザーの識別子からユーザーのホームドメインを推測し、それに適切なエントリーポイントのアドレス、例えば、Ｉ−ＣＳＣＦのアドレスなどを見つける。
【００６４】
ステップ４０７において、ＭＳＣ  ＳｅｒｖｅｒはＩ−ＣＳＣＦにＳＩＰログイン要請を送信し、その中、当該ＳＩＰログイン要請には、ユーザー識別子から導き出した個人ユーザー識別子と共通ユーザー識別子、及びアクセス方式指示が含まれ、当該指示は当該ログイン要請がＭＳＣ  Ｓｅｒｖｅｒから送信することを示す。
【００６５】
その中、ユーザー識別子から導き出した個人ユーザー識別子と共通ユーザー識別子は統一な推測規則を採用し、異なるｅＭＳＣ  Ｓｅｒｖｅｒが導き出した個人ユーザー識別子と共通ユーザー識別子は同じである。
【００６６】
ステップ４０８において、Ｉ−ＣＳＣＦは、ＨＳＳにＳ−ＣＳＣＦ配布要求を送信し、ＨＳＳにユーザーにサービスするためのＳ−ＣＳＣＦを配布することを要求する。
【００６７】
ステップ４０９において、ＨＳＳがユーザーにＳ−ＣＳＣＦを配布し、Ｓ−ＣＳＣＦ配布応答応答メッセージにより、配布したＳ−ＣＳＣＦの関連情報、例えば、Ｓ−ＣＳＣＦのアドレスまたは識別子などをＩ−ＣＳＣＦに送信する。
【００６８】
ステップ４１０において、Ｉ−ＣＳＣＦはログイン要請をＨＳＳが配布したＳ−ＣＳＣＦに転送する。
【００６９】
ステップ４１１において、Ｓ−ＣＳＣＦは要請におけるアクセス方式指示によって、当該ログイン要請がＭＳＣ  Ｓｅｒｖｅｒからであると判断したら、認証過程をスキップし、ＨＳＳとインタラクティブし、ＨＳＳにユーザーデータダウンロード要請を送信し、ユーザーの契約データをダウンロードすることを要求する。
【００７０】
ステップ４１２において、ＨＳＳはＳ−ＣＳＣＦにユーザーデータ応答を返し、その中、当該応答にはユーザー契約データが含まれる。
【００７１】
ステップ４１３において、Ｓ−ＣＳＣＦはＩ−ＣＳＣＦにログイン成功応答を返す。
【００７２】
ステップ４１４において、Ｉ−ＣＳＣＦはＭＳＣ  Ｓｅｒｖｅｒにログイン成功応答を転送する。
【００７３】
ステップ４１５において、Ｓ−ＣＳＣＦはユーザーの契約データの初期濾過基準に基づいて、サードパーティログイン過程をトリガーし、ＡＳにログイン要請を送信し、ＡＳにユーザーのログイン情報を通知する。
【００７４】
その中、ＡＳにはＩＭＳ集中サービスアプリケーションサーバ、電話サービスサーバなどが含まれる。
【００７５】
ステップ４１６において、ＡＳがログイン成功応答を返す。
【００７６】
ここまで、ｅＭＳＣ  ＳｅｒｖｅｒはＵＥの代わりにＩＭＳにおけるログインを完成し、Ｓ−ＣＳＣＦにログインバインディング関係を確立し、即ち、個人ユーザー識別子、共通ユーザー識別子、ｅＭＳＣ  Ｓｅｒｖｅｒの連絡アドレスとの関係を確立する。
【００７７】
ログインを成功した後、ｅＭＳＣ  Ｓｅｒｖｅｒはまた、Ｓ−ＣＳＣＦにさらにユーザーのログイン状態を購読する必要があり、Ｓ−ＣＳＣＦはユーザーのログイン情報を通知メッセージでｅＭＳＣ  Ｓｅｒｖｅｒに返す。
【００７８】
ステップ４１７において、ｅＭＳＣ  ＳｅｒｖｅｒはＳ−ＣＳＣＦにログインイベント購読要請を送信し、当該ユーザーのログインイベントを購読することを要求する。
【００７９】
ステップ４１８において、Ｓ−ＣＳＣＦが購読要求を受け取って、購読成功応答を返す。
【００８０】
ステップ４１９において、購読を受け取った後、Ｓ−ＣＳＣＦが通知メッセージで当該ユーザーのログイン情報をｅＭＳＣ  Ｓｅｒｖｅｒに送信する。
【００８１】
ログイン通知メッセージには、ユーザーがＳ−ＣＳＣＦにおける全てのログイン情報が含まれ、その中、当該ｅＭＳＣ  ＳｅｒｖｅｒがＵＥの代わりにログインしたログイン関係を含み、以下のような情報を含む。
【００８２】
＜共通ユーザー識別子＞、＜連絡アドレス＞、＜ログイン状態＞、＜ログインイベント＞、＜他の情報＞、その中、
共通ユーザー識別子がログイン関係の共通ユーザー識別子である。
【００８３】
連絡アドレスがログイン関係における実際の連絡アドレスである。
【００８４】
ログイン状態が現在のログイン関係の実際の状態である。
【００８５】
ログインイベントはログインに変化が生じることを致すログインイベントである。
【００８６】
ログイン過程において、連絡アドレスと関連するいくつかの情報は他の情報に置く。
【００８７】
例えばＵＥが始めてｅＭＳＣ  Ｓｅｒｖｅｒでアタッチし、ユーザーの代わりにＭＳＣ  ＳｅｒｖｅｒがＩＭＳログインを成功したとすれば、＜共通ユーザー識別子＝黙認共通ユーザー識別子＞、＜連絡アドレス＝ｅＭＳＣ  Ｓｅｒｖｅｒ連絡アドレス＞、＜ログイン状態＝アクティブ＞、＜ログインイベント＝作成＞、＜他の情報がＩＭＳ集中サービス特徴情報を含む＞。
【００８８】
ＵＥが他のｅＭＳＣ  Ｓｅｒｖｅｒに移動すると、新しいＭＳＣ  Ｓｅｒｖｅｒがユーザーの代わりにＩＭＳログインを行い、新しいログイン関係は元のＭＳＣ  Ｓｅｒｖｅｒが確立したログイン関係をカバーし、ログイン通知において対応するログイン情報は以下のようになる。
【００８９】
＜共通ユーザー識別子＝黙認共通ユーザー識別子＞、＜連絡アドレス＝新ｅＭＳＣ  Ｓｅｒｖｅｒ連絡アドレス＞、＜ログイン状態＝アクティブ＞、＜ログインイベント＝ログイン＞、＜他の情報がＩＭＳ集中サービス特徴情報を含む＞。
【００９０】
ステップ４２０において、ｅＭＳＣ  Ｓｅｒｖｅｒがログイン通知応答を返す。
【００９１】
ＵＥがｅＭＳＣ  ＳｅｒｖｅｒでＣＳアクティブ状態であると、ＭＳＣ  Ｓｅｒｖｅｒは定期に購読関係をリフレッシュする。ユーザーログイン状態が変化すると、Ｓ−ＣＳＣＦは自発的に購読側を通知する。ＭＳＣ  Ｓｅｒｖｅｒがユーザーをログアウトしたと、自発的に購読関係を削除する。
【００９２】
図５は従来技術においてＵＥがｅＭＳＣ  Ｓｅｒｖｅｒから他のＭＳＣ  Ｓｅｒｖｅｒに移動し、即ち位置取り消し過程におけるＩＭＳ集中サービスのログアウトフローチャートである。ＵＥが既にソースｅＭＳＣ  Ｓｅｒｖｅｒにアタッチを成功し、それにソースｅＭＳＣ  Ｓｅｒｖｅｒが既にＵＥの代わりにＩＭＳでログインを成功し、ＵＥがターゲットＭＳＣ  Ｓｅｒｖｅｒに移動したとき、当該ターゲットＭＳＣ  ＳｅｒｖｅｒはｅＭＳＣ  Ｓｅｒｖｅｒ、または普通のＭＳＣ  Ｓｅｒｖｅｒであるかもしれない。図５に示すように、当該過程は以下のようなステップを含む。
【００９３】
ステップ５０１において、ＵＥがＣＳアタッチ過程を発起し、ターゲットＭＳＣ  Ｓｅｒｖｅｒにアタッチ要求を送信する。
【００９４】
ステップ５０２において、ターゲットＭＳＣ  ＳｅｒｖｅｒがＨＳＳ／ＨＬＲに位置更新要求を送信する。
【００９５】
ステップ５０３において、ＨＳＳ／ＨＬＲが位置更新を受け取り、ターゲットＭＳＣ  Ｓｅｒｖｅｒに位置更新の受け取り応答を返す。
【００９６】
ステップ５０２〜５０３過程において、標準のＣＳアクセス認証、ユーザーデータのインサート過程を更に実行する。
【００９７】
ＨＳＳ／ＨＬＲユーザーデータまたは位置更新の受け取り応答にＩＭＳ集中サービス指示をインサートするのは、当該ユーザーがＩＭＳ集中サービスを契約したことを意味する。
【００９８】
ステップ５０４において、ターゲットＭＳＣ  ＳｅｒｖｅｒがＵＥにアタッチの受け取り応答を返す。
【００９９】
ターゲットＭＳＣ  Ｓｅｒｖｅｒが普通のＭＳＣ  Ｓｅｒｖｅｒであると、ターゲットＭＳＣ  Ｓｅｒｖｅｒはユーザーデータまたは位置更新の受け取り応答におけるＩＭＳ集中サービス指示を無視することにあり、ＵＥの代わりにＩＭＳログイン過程を実行しない。
【０１００】
ターゲットＭＳＣ  ＳｅｒｖｅｒがｅＭＳＣ  Ｓｅｒｖｅｒであるとき、ターゲットＭＳＣ  Ｓｅｒｖｅｒは、図４に示すようなログイン過程に従って、ＵＥの代わりにＩＭＳログインを実行する。
【０１０１】
ステップ５０５において、ＨＳＳ／ＨＬＲがソースＭＳＣ  Ｓｅｒｖｅｒに取り消し位置要求を送信する。
【０１０２】
ステップ５０６において、ソースＭＳＣ  ＳｅｒｖｅｒがＨＳＳ／ＨＬＲに取り消し位置応答を返し、ローカルで保存されたＣＳユーザーデータを削除する。
【０１０３】
ステップ５０７において、ＵＥがソースＭＳＣ  Ｓｅｒｖｅｒでノンアクティブ状態であるから、ソースＭＳＣ  ＳｅｒｖｅｒはＵＥの代わりにＩＭＳログアウト過程を実行し、Ｉ−ＣＳＣＦにログアウト要請を送信する。
【０１０４】
ここで、ＵＥの代わりにＩＭＳログアウト過程を実行するのは、ＭＳＣ  ＳｅｒｖｅｒがＩＭＳにログアウト要請のログアウト過程を送信する必要があることを指す。後続の文におけるローカルログアウト過程とは、ＭＳＣ  ＳｅｒｖｅｒがＩＭＳにログアウト要請を送信せず、単にローカルでユーザーと関連するＩＭＳログインデータのを削除するだけの過程を指す。
【０１０５】
ステップ５０８において、Ｉ−ＣＳＣＦがＨＳＳとインタラクティブし、ＨＳＳにＳ−ＣＳＣＦ配布要求を送信し、ＨＳＳがユーザーにサービスするためのＳ−ＣＳＣＦを配布することを要求する。
【０１０６】
ステップ５０９において、ＨＳＳがユーザーにＳ−ＣＳＣＦを指定し、Ｓ−ＣＳＣＦ配布応答でＩ−ＣＳＣＦに送信する。
【０１０７】
ステップ５１０において、Ｉ−ＣＳＣＦがログアウト要請を指定されたＳ−ＣＳＣＦに転送する。
【０１０８】
ステップ５１１において、Ｓ−ＣＳＣＦがＨＳＳとインタラクティブし、ユーザーのログアウト状態をＨＳＳに通知する。
【０１０９】
ステップ５１２において、ＨＳＳがＳ−ＣＳＣＦにログアウト通知応答を返す。
【０１１０】
ステップ５１３において、Ｓ−ＣＳＣＦがＩ−ＣＳＣＦにログアウト成功応答を返す。
【０１１１】
ステップ５１４において、Ｉ−ＣＳＣＦがｅＭＳＣ  Ｓｅｒｖｅｒにログアウト成功応答を転送する。
【０１１２】
ステップ５１５において、Ｓ−ＣＳＣＦがユーザーの契約データの初期濾過基準に基づいて、サードパーティログアウト過程をトリガーし、ＡＳにログアウト要請を送信し、ＡＳにユーザーは既にログアウトしたことを通知する。
【０１１３】
ステップ５１６において、ＡＳがログアウト成功応答を返す。
【０１１４】
前記過程に基づいて、本発明における実施例を結合して本発明を更に説明する。
【０１１５】
実施例１
実施例において、ターゲットＭＳＣ  ＳｅｒｖｅｒがｅＭＳＣ  Ｓｅｒｖｅｒであり、ＣＳ  ＵＥがソースｅＭＳＣ  ＳｅｒｖｅｒからターゲットｅＭＳＣ  Ｓｅｒｖｅｒまでに移動したとき、ｅＭＳＣ  ＳｅｒｖｅｒはＵＥの代わりにＩＭＳログインを実行する。図６に示すように、当該過程は以下のようなステップを含む。
【０１１６】
ステップ６０１〜６０６は、ステップ５０１〜５０６と同じである。
【０１１７】
ターゲットＭＳＣ  ＳｅｒｖｅｒはｅＭＳＣ  Ｓｅｒｖｅｒであるから、ステップ６０７を実行してＵＥの代わりにＩＭＳログイン過程を実行する。
【０１１８】
ステップ６０７において、ターゲットＭＳＣ  ＳｅｒｖｅｒがＵＥの代わりにＩＭＳログイン過程を発起する。
【０１１９】
ユーザーがターゲットＭＳＣ  Ｓｅｒｖｅｒで位置更新を成功した後、ターゲットＭＳＣ  ＳｅｒｖｅｒがＵＥの代わりにＩＭＳログイン過程を実行し、ターゲットＭＳＣ  ＳｅｒｖｅｒがＩＭＳシステムにおけるＳ−ＣＳＣＦにログイン要請を送信する。ソースＭＳＣ  Ｓｅｒｖｅｒがログアウト要請を遅延して送信するから、当該ログイン要請がログアウト要請よりＳ−ＣＳＣＦに先に到達し、Ｓ−ＣＳＣＦがログインバインディング関係を新しいログインバインディング関係に更新し、即ち、個人ユーザー識別子、共通ユーザー識別子ターゲットＭＳＣ  Ｓｅｒｖｅｒ連絡アドレスとの関係を更新する。
【０１２０】
ステップ６０８において、ステップ６０７を実行すると同時に、ソースＭＳＣ  Ｓｅｒｖｅｒが遅延時間を計り始め、即ち、ログアウト要請送信タイマを起動する。
【０１２１】
ソースｅＭＳＣ  Ｓｅｒｖｅｒから送信するログアウト要請がターゲットＭＳＣ  Ｓｅｒｖｅｒの送信するかもしれないログイン要請よりＳ−ＣＳＣＦに後に到達することを保証するために、ここの遅延時間はソースｅＭＳＣ  Ｓｅｒｖｅｒのローカルで配置し、十分な時間長を持って、時間長が正常状況でターゲットｅＭＳＣ  Ｓｅｒｖｅｒのログイン要請がＳ−ＣＳＣＦに到達する必要な最大時間より長いと要求される。その中、前記遅延時間とは、ログアウト要請送信タイマのオーバーフロー値である。
【０１２２】
ステップ６０９において、遅延時間になったら、即ちログアウト要請送信タイマがオーバーフローしたと、ステップ６１０をトリガーする。
【０１２３】
ステップ６１０において、ソースＭＳＣ  ＳｅｒｖｅｒがＵＥの代わりにＩＭＳログアウト過程を実行する。
【０１２４】
ログアウト要請がログイン要請より後にＳ−ＣＳＣＦに到達するから、このときＳ−ＣＳＣＦにおけるログインバインディング関係は既にステップ６０８で新しいログインバインディング関係に更新された。ログアウト要請がＳ−ＣＳＣＦに到達したとき、Ｓ−ＣＳＣＦはログアウト要請におけるユーザー情報によって、既存するログイン関係をマッチングし、新しいログイン関係を見つけると、ＭＳＣ  Ｓｅｒｖｅｒの連絡アドレスを更に比べ、連絡アドレスが異なると見つけると、異常処理プロセスをとして、ソースＭＳＣ  Ｓｅｒｖｅｒ的ログアウト要請を拒絶する。ソースＭＳＣ  Ｓｅｒｖｅｒが拒絶要求を受信した後、ローカルのＩＭＳログインデータを削除する。従って、この場合、サービスロジックエラーがもたらすことがない。その中、前記ログアウト要請におけるユーザー情報には、ユーザー個人識別子とユーザー共通識別子が含まれる。
【０１２５】
実施例２
ソースＭＳＣ  ＳｅｒｖｅｒがＵＥの代わりにログインを成功した後、ログインイベントの変更を取得するために、ログインイベント購読を実行するから、ユーザーのログイン状態がＳ−ＣＳＣＦで変化すると、Ｓ−ＣＳＣＦは購読側のソースＭＳＣ  Ｓｅｒｖｅｒに通知する。従って、位置取り消し過程において、ソースＭＳＣ  Ｓｅｒｖｅｒは当該情報によってユーザーの代わりにログインするターゲットＭＳＣ  Ｓｅｒｖｅｒがあるかを分かり、既にログインしたと、即ちユーザーのログインバインディング関係が既に更新されたと、ソースＭＳＣ  ＳｅｒｖｅｒはＵＥの代わりにログアウトする必要がなく、直接にローカルログアウト過程を実行してよい。
【０１２６】
実施例において、図７に示すように、当該過程は以下のようなステップを含む。
【０１２７】
ステップ７０１〜７０６はステップ５０１〜５０６と同じである。
【０１２８】
ターゲットＭＳＣ  ＳｅｒｖｅｒはｅＭＳＣ  Ｓｅｒｖｅｒであるから、ステップ７０８を実行してＵＥの代わりにＩＭＳログイン過程を実行する。
【０１２９】
ステップ７０７において、ソースＭＳＣ  Ｓｅｒｖｅｒがログアウト要請送信タイマを起動する。
【０１３０】
ステップ７０８において、ステップ７０７を実行すると同時に、ターゲットＭＳＣ  ＳｅｒｖｅｒがＵＥの代わりにＩＭＳログイン過程を発起する。
【０１３１】
ターゲットＭＳＣ  ＳｅｒｖｅｒがＩＭＳシステムにおけるＳ−ＣＳＣＦにログイン要請を送信し、Ｓ−ＣＳＣＦがログインバインディング関係を新しいログインバインディング関係に更新し、即ち、個人ユーザー識別子、共通ユーザー識別子とターゲットＭＳＣ  Ｓｅｒｖｅｒ連絡アドレスの関係を更新する。
【０１３２】
ステップ７０９において、ログインバインディング関係が変化したから、Ｓ−ＣＳＣＦはＭＳＣ  ＳｅｒｖｅｒがＳ−ＣＳＣＦでのログインイベント購読関係によって、ソースＭＳＣ  Ｓｅｒｖｅｒにログイン通知メッセージを送信し、その中ＣＳ  ＵＥのログインバインディング関係の連絡アドレスはソースＭＳＣ  Ｓｅｒｖｅｒの連絡アドレスからターゲットＭＳＣの連絡アドレスに変わる。
【０１３３】
ステップ７１０において、ソースＭＳＣ  Ｓｅｒｖｅｒは通知メッセージにおけるログイン情報をチェックし、以前確立したログインバインディング関係中の連絡アドレスが既に変化して、自体の連絡アドレスでないと見つけたら、他のｅＭＳＣ  Ｓｅｒｖｅｒが既にユーザーの代わりにＩＭＳログインしたと認定して、ログアウト要請タイマを停止し、ローカルログアウト過程を実行し、ローカルＩＭＳログインデータを削除する。
【０１３４】
実施例３
本実施例において、ターゲットＭＳＣ  Ｓｅｒｖｅｒが普通のＭＳＣ  Ｓｅｒｖｅｒであり、ＣＳ  ＵＥがｅＭＳＣ  Ｓｅｒｖｅｒからターゲットの普通ＭＳＣ  Ｓｅｒｖｅｒの下までに移動するとき、普通のＭＳＣ  ＳｅｒｖｅｒがＵＥの代わりにＩＭＳログインを実行しないから、図８に示すように、当該過程は以下のようなステップを含む。
【０１３５】
ステップ８０１〜８０６はステップ５０１〜５０６と同じである。ターゲットＭＳＣ  Ｓｅｒｖｅｒは普通のＭＳＣ  Ｓｅｒｖｅｒであるから、ＵＥの代わりにＩＭＳログイン過程を実行しない。従って、ステップ８０９までの間、Ｓ−ＣＳＣＦはソースＭＳＣ  Ｓｅｒｖｅｒが確立したログインバインディング関係をずっと保存する。
【０１３６】
ステップ８０７において、ソースＭＳＣ  Ｓｅｒｖｅｒがログアウト要請送信タイマを起動する。
【０１３７】
ソースｅＭＳＣ  Ｓｅｒｖｅｒが送信したログアウト要請がターゲットＭＳＣ  Ｓｅｒｖｅｒが送信するかもしれないログイン要請より後にＳ−ＣＳＣＦに到達することを保証するために、ここのログアウト要請送信タイマのオーバーフロー値はｅＭＳＣ  Ｓｅｒｖｅｒのローカルで配置し、十分な時間長を持って、時間長は正常情況でターゲットｅＭＳＣ  Ｓｅｒｖｅｒのログイン要請がＳ−ＣＳＣＦに到達する必要な最大時間より長いと要求される。
【０１３８】
ステップ８０８において、ログアウトタイマがオーバーフローし、ステップ８０９をトリガーする。
【０１３９】
ステップ８０９において、ソースＭＳＣ  ＳｅｒｖｅｒがＣＳ  ＵＥの代わりにＩＭＳログアウト過程を実行する。
【０１４０】
当該過程において、ソースＭＳＣ  ＳｅｒｖｅｒがＩ−ＣＳＣＦを通してＳ−ＣＳＣＦにログアウト要請を送信し、Ｓ−ＣＳＣＦはソースＭＳＣ  Ｓｅｒｖｅｒが確立したログインバインディング関係、即ち、個人ユーザー識別子、共通ユーザー識別子、ソースＭＳＣ  Ｓｅｒｖｅｒ連絡アドレスとの関係を保存するから、Ｓ−ＣＳＣＦはログアウト要請を受信した後、ログインバインディング関係を削除し、ソースＭＳＣ  Ｓｅｒｖｅｒにログアウト成功応答を返し、ソースＭＳＣ  Ｓｅｒｖｅｒはローカルで保存されたＩＭＳログインデータを削除する。
【０１４１】
前記したように、本発明によって、ＣＳ  ＵＥがＭＳＣ  Ｓｅｒｖｅｒの間に移動するとき、ソースｅＭＳＣ  Ｓｅｒｖｅｒはログアウト要請を遅延して送信する方式を採用して、ソースＭＳＣ  Ｓｅｒｖｅｒのログアウト要請がターゲットＭＳＣ  Ｓｅｒｖｅｒのログイン要請より後にＳ−ＣＳＣＦに到達することを保証するので、必要ない冗長シグナリングを避けて、システム処理効率を向上させる。
【０１４２】
ＩＭＳ集中サービスのログアウトシステムであって、遅延時間計りユニットとログアウトユニットを含む。その中、遅延時間計りユニットは、ＣＳ  ＵＥがソースｅＭＳＣ  ＳｅｒｖｅｒからターゲットＭＳＣ  Ｓｅｒｖｅｒ制御範囲内に移動し、ＣＳ  ＵＥがアタッチされるＭＳＣ  Ｓｅｒｖｅｒの位置取り消しを変更する過程において、ソースｅＭＳＣ  ＳｅｒｖｅｒはＨＳＳ／  ＨＬＲが送信した位置の取り消し要求を受信した後、遅延時間計りを始めることに用いる。ログアウトユニットは遅延時間になったら、ソースｅＭＳＣ  ＳｅｒｖｅｒがＣＳ  ＵＥの代わりにＩＭＳのログアウトを実行することに用いる。
【０１４３】
ここで、遅延時間計りユニットは更に、ログアウト要請送信タイマを設置するとき、ソースｅＭＳＣ  Ｓｅｒｖｅｒはログアウト要請送信タイマを起動することで、遅延時間計りを始めることに用いる。ログアウトユニットは更に、前記ログアウト要請送信タイマがオーバーフローしたととき、遅延時間になったら、ソースｅＭＳＣ  ＳｅｒｖｅｒはＣＳ  ＵＥの代わりにＩＭＳのログアウトを実行することに用いる。
【０１４４】
ここで、ログアウトユニットは更に、ソースｅＭＳＣ  ＳｅｒｖｅｒがＣＳ  ＵＥの代わりにＩＭＳにＩＭＳログアウト要請を送信し、ソースｅＭＳＣ  Ｓｅｒｖｅｒがログアウト成功応答またはログアウト失敗応答を受信したとき、ローカルＩＭＳログインデータを削除することに用いる。
【０１４５】
ここで、ログアウトユニットは更に、ターゲットＭＳＣ  ＳｅｒｖｅｒがｅＭＳＣ  Ｓｅｒｖｅｒである場合、ターゲットｅＭＳＣ  ＳｅｒｖｅｒがＣＳ  ＵＥの代わりにＩＭＳのログイン過程を実行し、Ｓ−ＣＳＣＦにおいて、元のログインバインディング関係を新しいログインバインディング関係に変え、ＣＳ  ＵＥの代わりにソースｅＭＳＣ  Ｓｅｒｖｅｒが送信したＩＭＳログアウト要請がＳ−ＣＳＣＦに到達した後、Ｓ−ＣＳＣＦはＩＭＳログアウト要請を拒絶することに用いる。
【０１４６】
ここで、ログアウトユニットは更に、ターゲットＭＳＣ  Ｓｅｒｖｅｒが普通のＭＳＣ  Ｓｅｒｖｅｒである場合、ＣＳ  ＵＥの代わりにソースｅＭＳＣ  Ｓｅｒｖｅｒが送信したＩＭＳログアウト要請がＳ−ＣＳＣＦに到達した後、Ｓ−ＣＳＣＦは元ログインバインディング関係をログアウトする。
【０１４７】
ここで、以上に言及されるＩＭＳ集中サービスはＩＭＳ  Ｃｅｎｔｒａｌｉｚｅｄ  Ｓｅｒｖｉｃｅで表示でき、ＩＣＳと略称される。
【０１４８】
当然に、本発明は様々な実施の形態もある。当業者にとっては、その趣旨を逸脱しない範囲で本発明によって種々の更改と変化することができる。本発明は、これらの更改と変化等、すべて本発明の付属の保護範囲に属する。
【図１】
0005256353.tif 000002
【図２】
0005256353.tif 000003
【図３】
0005256353.tif 000004
【図４】
0005256353.tif 000005
【図５】
0005256353.tif 000006
【図６】
0005256353.tif 000007
【図７】
0005256353.tif 000008
【図８】
0005256353.tif 000009